(57)【特許請求の範囲】
【請求項１】
貯水槽の槽壁に取り付けられ、前記貯水槽と用水の給排水管とを連通する筒状体であって、内周面の前記貯水槽側に穿孔された開口と、前記給排水管側に形成された開口、および両開口の間に形成された排水路を有する外筒と、
前記外筒内に往復摺動可能に挿入される、前記貯水槽側が冠状をなし、かつ用水を前記貯水槽に供給する供給孔を有する内筒と、
前記外筒内における内筒の往復摺動の範囲を規定する規定手段とを有し、
前記内筒が前記外筒の貯水槽側に穿孔された開口を閉塞する位置と、同開口の少なくとも一部を開口する位置とを取るように構成されることを特徴とする給排水器。
【請求項２】
前記内筒の給排水管側にスリーブを有し、このスリーブと前記外筒の給排水管側の内周面側とに、前記内筒の回転を規定する係合手段を有する請求項１に記載の給排水器。
【請求項３】
前記係合手段が、前記スリーブに形成されるスプライン歯と、前記外筒の内周面側に形成される前記スプライン歯と遊嵌する溝とから構成される請求項２に記載の給排水器。
【請求項４】
前記スプライン歯と溝とが螺旋状であり、前記内筒が往復摺動と共に回転する請求項３に記載の給排水器。
【請求項５】
貯水槽の槽壁に取り付けられ、前記貯水槽と用水の給排水管とを連通する外筒と、
前記給排水管と貯水槽とを連結する貯水槽に用水を供給するための供給孔、ならびに前記貯水層と給排水管とを連結する用水を給排水管に抜くための排水孔を有する、前記外筒の貯水層側の端部を閉塞する蓋体と、
前記外筒内に往復摺動可能に挿入される、前記貯水槽側の端部が閉塞すると共に、前記貯水槽側に移動した際に前記供給孔と連結する給水用連通孔、ならびに前記貯水槽側に移動した際に前記蓋体によって閉塞される排水用連通孔を有し、さらに前記貯水槽側に移動した際には前記蓋体に形成される排水孔を閉塞する内筒と、
前記外筒内における内筒の給排水管側への移動を規定する規定手段とを有することを特徴とする給排水器。
【請求項６】
前記外筒が、給排水管側の端部近傍に内方に突出する肉厚部を有する外筒本体、ならびに前記肉厚部に固定される固定部材から構成され、
前記蓋体が、貯水槽側の端面が閉塞する筒状の形状を有し、かつ前記供給孔が蓋体内部から貯水槽側角部を斜め上方に貫通して形成され、前記排水孔が前記閉塞面を貫通して形成され、
前記規定手段が、前記蓋体の内壁面に固定される筒体であり、
さらに、前記蓋体が前記固定部材に載置されるようにして外筒本体内に挿入され、前記固定部材に固定される固定リング、ならびに前記蓋体、内筒および規定手段を貫通して前記固定リングに螺合する長尺ボルトによって、前記蓋体が外筒に固定される請求項５に記載の給排水器。
【請求項７】
前記内筒の貯水槽側の角部が切り欠れ、前記給水用連通孔がこの切り欠き部分に開口する請求項５または６に記載の給排水器。
【発明の詳細な説明】
【０００１】
【産業上の利用分野】
本発明はプール、ジャグジー等の貯水槽に利用され、貯水槽への給水と貯水槽からの排水を同一経路で行うことを可能にする給排水器に関する。
【０００２】
【従来の技術】
プール、ジャグジー、浴場等のように温水または冷水（以下、用水という）を大量に貯留する貯水槽を有する施設においては、用水の水質を所定基準値に管理するため、常時、もしくは所定時間間隔で使用した用水を所定量排水し、未使用または浄化済の用水を給水している。
特にプールやクワハウス等の大量の用水を使用する設備では、排水した用水を浄化装置によって浄化し、浄化後に再び貯水槽に戻すことにより、用水を循環使用し、不足分の用水のみを新たに水道等から供給することで、用水の有効利用を図り、設備の運転コストを低減し、また、環境改善を図っている。
【０００３】
このような貯水槽においては、用水の排水と給水が十分に行われなかったり、貯水槽内における補給水や浄化水の対流が均一に行われない場合には、貯水槽内で局所的に用水のよどみが生じ、いわゆる死水となっていた。
例えば、プールにおいては、利用者の体や大気から落下した毛髪、絆創膏、糸くず等のゴミ、垢、塵埃、その他の油分や汚れ（有機物微粒子）などの汚染物質のうちプール水より比重の大きいものはプールの底の方のよどみに滞留し、垢や油分や汚れ（有機物微粒子）などのように比重の比較的小さいものはプール水の水中または液面近くのよどみ、特にプール側壁面近傍のよどみに滞留する。これらは細菌やウィルスの繁殖の原因となり易く、水質の悪化を招くことになる。
【０００４】
従来設置されているプールでは、プール底面に設けられた複数の排水口から汚染物質とともにプール水を排水して浄化し、浄化したプール水をプール側壁面から給水することにより、プール水の対流を図る底吸込横吹出し方式が多く用いられている。
ところが、この底吸込横吹出し方式では、絆創膏、ゴミ、毛髪等のプール底面やプール水中に滞留する汚染物質は比較的よく除去できても、プール水面に浮遊する垢や、汚れや油分などは除去できないという問題がある。
【０００５】
このため、プール水中によどみが生じるのを防止し、補給水の混合を促進し、かつ前記汚染物質を積極的に除去するためのプール水の給排水法が種々考案され、実施されている。
例えば、プール側面またはプールサイドに排水溝を設け、さらに、浄化水を供給するためのノズルをプール底面の適当な位置に複数配設して、このノズルから浄化水を噴射、好ましくは斜め上方に吹き出させることにより、プールの底面、プール水中に滞留する汚染物質を水面上に浮遊させ、もともと浮遊していた汚染物質や排水するプール水と共にオーバーフローさせて排水溝に流入させて浄化・循環することにより、プール水を浄化するオーバーフロー方式などが用いられている（実公平２−４２８４３号、実開平５−３４２５９号等の各公報参照）。
【０００６】
【発明が解決しようとする課題】
ところで、これらの貯水槽においては、清掃や設備の補修・改善の際には、貯水槽内の用水をすべて排水し、貯水槽を空にする必要がある。
貯水槽を空にするためには貯水槽の底から排水を行う必要があるが、前述のオーバーフロー方式のプールのように、浄化した用水を底から噴射する方式では、用水を噴射するためのノズルの供給孔は非常に小さく（通常１０ｍｍ以下）、ここからプール水を抜くと非常に時間がかかるため、浄化水の供給経路を利用した排水は事実上不可能である。そのため、貯水槽の下に浄化水の給水経路とは別にプール水の排水口および排水経路を設ける必要があり、設備費用や工事費用の高騰、配管設計や貯水槽設置位置の自由度の低下、工事期間の長期化等、様々な問題を生じている。
【０００７】
本発明の目的は、前記従来技術の問題点を解決することにあり、オーバーフロー方式のプール等のように、浄化した用水を底から噴射（供給）する貯水槽において、用水の供給口と排水口、ならびに供給経路と排水経路を共有することを可能とし、これにより、設備費や工事費の低減、設計・設置の自由度向上、工事期間の短期化等を実現できる給排水器を提供することにある。
【０００８】
【課題を解決するための手段】
前記目的を達成するために、本発明の給排水器の第１の態様は、貯水槽の槽壁に取り付けられ、前記貯水槽と用水の給排水管とを連通する筒状体であって、内周面の前記貯水槽側に穿孔された開口と、前記給排水管側に形成された開口、および両開口の間に形成された排水路を有する外筒と、前記外筒内に往復摺動可能に挿入される、前記貯水槽側が冠状をなし、かつ用水を前記貯水槽に供給する供給孔を有する内筒と、前記外筒内における内筒の往復摺動の範囲を規定する規定手段とを有し、前記内筒が前記外筒の貯水槽側に穿孔された開口を閉塞する位置と、同開口の少なくとも一部を開口する位置とを取るように構成されることを特徴とする給排水器を提供する。
【０００９】
また、前記本発明の給排水器の第１の態様において、前記内筒の給排水管側にスリーブを有し、このスリーブと前記外筒の給排水管側の内周面側とに、前記内筒の回転を規定する係合手段を有するのが好ましい。
【００１０】
また、前記本発明の給排水器の第１の態様において、前記係合手段が、前記スリーブに形成されるスプライン歯と、前記外筒の内周面側に形成される前記スプライン歯と遊嵌する溝とから構成されるのが好ましい。
【００１１】
さらに、前記本発明の給排水器の第１の態様において、前記スプライン歯と溝とが螺旋状であり、前記内筒が往復摺動と共に回転するのが好ましい。
【００１２】
また、本発明の給排水器の第２の態様は、貯水槽の槽壁に取り付けられ、貯水槽と用水の給排水管とを連通する外筒と、前記給排水管と貯水槽とを連結する貯水槽に用水を供給するための供給孔、ならびに前記貯水層と給排水管とを連結する用水を給排水管に抜くための排水孔を有する、前記外筒の貯水層側の端部を閉塞する蓋体と、前記外筒内に往復摺動可能に挿入される、前記貯水槽側の端部が閉塞すると共に、前記貯水槽側に移動した際に前記供給孔と連結する給水用連通孔、ならびに前記貯水槽側に移動した際に前記蓋体によって閉塞される排水用連通孔を有し、さらに前記貯水槽側に移動した際には前記蓋体に形成される排水孔を閉塞する内筒と、前記外筒内における内筒の給排水管側への移動を規定する規定手段とを有することを特徴とする給排水器を提供する。
【００１３】
また、前記本発明の給排水器の第２の態様において、前記外筒が、給排水管側の端部近傍に内方に突出する肉厚部を有する外筒本体、ならびに前記肉厚部に固定される固定部材から構成され、前記蓋体が、貯水槽側の端面が閉塞する筒状の形状を有し、かつ前記供給孔が蓋体内部から貯水槽側角部を斜め上方に貫通して形成され、前記排水孔が前記閉塞面を貫通して形成され、前記規定手段が、前記蓋体の内壁面に固定される筒体であり、さらに、前記蓋体が前記固定部材に載置されるようにして外筒本体内に挿入され、前記固定部材に固定される固定リング、ならびに前記蓋体、内筒および規定手段を貫通して前記固定リングに螺合する長尺ボルトによって、前記蓋体が外筒に固定されるのが好ましい。
【００１４】
さらに、前記本発明の給排水器の第２の態様において、前記内筒の貯水槽側の角部が切り欠れ、給水用連通孔がこの切り欠き部分に開口するのが好ましい。
【００１５】
【発明の作用】
前記構成を有する本発明の給排水器によれば、プールやクワハウスの操業中のような通常の浄化用水の循環・供給時には、供給される用水の水圧によって内筒が貯水槽側に移動しているので、外筒に形成される排水路（第１の態様）、あるいは蓋体に形成される排水孔（第２の態様）は閉塞されており、内筒に形成された供給孔（第１の態様）、あるいは内筒に形成された供給用連通孔および蓋体に形成された供給孔（第２の態様）から浄化水が供給（噴射）され、例えば、オーバーフロー方式のプール等に利用することにより、用水をよどみ無く対流して、貯水槽内の水を清浄に保つことができる。
他方、貯水槽を空にする際には、浄化水の供給が停止されることにより、貯水槽内の水圧によって内筒が給排水管側に移動して、外筒に形成される排水路（第１の態様）、あるいは蓋体に形成される排水孔および内筒に形成される排水用連通孔（第２の態様）が貯水槽に開口し、ここから貯水槽内の用水を抜いて給排水管に排出することができる。
【００１６】
そのため、本発明の給排水器を利用することにより、オーバーフロー方式のプール等のように、浄化した用水を底から噴射（供給）する貯水槽であっても、用水の供給口と排水口、ならびに供給経路と排水経路を共有することができ、これにより、設備費用や工事費用の低減、給排水管の設計自由度の向上、貯水槽の設置位置の自由度向上、工事期間の短期化等を実現することができる。
【００１７】
【実施例】
以下、本発明の給排水器について、添付の図面に示される好適実施例をもとに詳細に説明する。
なお、以下の説明は、本発明の給排水器をプールに利用した例を代表例として行うが、本発明の給排水器はこれ以外にも、プール施設、浴場、クワハウス等の浴槽やジャグジー、淡水あるいは海水養殖業などにおける人工池、水族館の水槽等、各種の貯水槽における用水の給排水器として好適に利用可能である。
【００１８】
図１に、本発明の給排水器を利用するプールにおけるプール水の循環経路の概略を示す。
図１に示されるプール１０は、前述のオーバーフロー方式を利用するものであって、その底壁１２には浄化したプール水をプール１０内に供給し、かつプール清掃や施設補修等の際にプール水を抜いてプール１０を空にするための排水口となる、本発明の給排水器１４（６０）が合計で３２個配置されている。
また、プール１０の底壁１２あるいは側壁の底面近傍には、図中二点鎖線で示されるバランスラインＬ1 が接続され、プール１０内のプール水量（水深）を適正に保つためのバランシングタンク１６とプール１０とが連結される。不足分の水は、図中矢印ａで示されるように、このバランシングタンク１６に供給され、プール１０に補給される。
さらに、プール１０の底壁１２には、プール清掃等の際に最後に残った汚水を排水するための排水ピット１８が二か所に形成される。排水ピット１８は、排水管１８ａおよび排水ラインＬb に連結され、前記汚水がここから排水される。
【００１９】
プール１０には、その周辺を囲むようにしてオーバーフローしたプール水を収集する排水溝（側溝）２０が形成される。また、プール１０の短手方向の側壁には、たん吐き排水口２２が、それぞれ４個づつ設けられる。
排水溝２０およびたん吐き排水口２２は、共に点線で示すオーバーフローラインＬ2 に連結されており、収集された排水（プール水）はオーバーフローラインＬ2 からオーバーフロータンク２６に送られる。
【００２０】
オーバーフロータンク２６に収集された排水は、浄化装置２８に送られ、ここで浄化され、プール水として再度プール１０に供給される。
なお、浄化装置２８としては、本発明者による特開平３−２２４６０３号、同４−３４１７８号、同４−２３８９７０号、同４−３２３４７０号、同５−３３５１４号の各公報に開示される装置（システム）が好適に例示される。
【００２１】
浄化装置２８によって浄化されたプール水は、図中一点鎖線で示される給排水ラインＬ3 からプール１０に供給、循環される。
給排水ラインＬ3 は、プール１０を囲むように形成されており、プール１０の長手方向に添った両ラインからプール１０側に分岐されて、２分割を３回繰り返すことにより８つに分割されて、プール１０の下にプール１０を短手方向に横切って長手方向に８本配置される給排水管３０に、それぞれ接続される。また、給排水ラインＬ3 の浄化装置２８直近には、プール清掃等のために排水されたプール水を排水するための排水ラインｂが接続される。
前述のように、プール１０の底壁１２には、本発明の給排水器１４が配置されており、図示例においては、各給排水管３０に等間隔で４個の給排水器１４が連結されて、合計で３２個の給排水器１４が底壁１２に配置される。プール１０においては、この給排水器１４から浄化したプール水をプール１０内に噴射、供給し、また、プール清掃等でプール１０を空にする際には、給排水器１４からプール水を抜き、給排水ラインＬ3 を経て排水ラインｂから排水する。
【００２２】
図２および図３に、本発明の第１の態様の給排水器１４の概略断面図が示される。
両図に示されるように、給排水器１４はプール１０の底壁１２を貫通して形成される孔に挿入、固定され、その下端部分が給排水管３０の立ち上がり部分３０ａ（Ｔ字管）に連結されている。
【００２３】
図示例の給排水器１４は、基本的に、外筒３２と、この外筒３２内に往復摺動可能に挿入される内筒３４と、外筒３２の給排水管３０側（以下、こちらを下方、逆（プール側）を上方とする）の端部近傍に固定される下降ストッパ３６と、内筒３４の下方に固定されるスリーブ３８と、スリーブ３８の下端に固定される上昇ストッパ４０とから構成される。
【００２４】
給排水器１４において、外筒３２は略円筒形の部材であり、図示例においては、プール１０の底壁１２を貫通して形成される孔に螺合されて固定されている。なお、外筒３２の固定手段は、図示例の螺合に限定はされず、接着剤やシーリング材等を用いてプール１０の底に固定してもよい。
外筒３２の下端面は給排水管３０の立ち上がり部分３０ａの端部に液密に取り付けられ、給排水管３０と給排水器１４（すなわちプール１０）とが連結される。なお、外筒３２の下端面と立ち上がり部分３０ａとは、必要に応じてシーリング材等の公知の手段によって液密に接着されてもよい。あるいは、外筒３２と立ち上がり部分３０ａとが当接せず、立ち上がり部分３０ａが外筒３２を囲んでプール下面と当接することで、給排水管３０と外筒３２とが連通されてもよい。
他方、外筒３２の上面は、図示例のようにプール１０の底面と同一面として、プールの利用者等が給排水器１４に足を取られ、転倒すること等がないようにするのが好ましい。
【００２５】
本発明の給排水器１４において、外筒３２には排水路４２が形成される。
排水路４２は、清掃等でプール１０を空にする際に、プール１０と給排水管３０とを連結して、本発明の給排水器１４からのプール水を抜いて排水することを可能にする流水路であって、図２に示されるように、プール水の供給中すなわち内筒３４が上昇している際には内筒３４によって閉塞されており、図３に示されるように、内筒３４が下降した際には流入口４２ａがプール１０に開口して、プール１０と給排水管３０の立ち上がり部分３０ａとを連通する。この作用については、後に詳述する。
排水路４２は、図示例に示されるように、外筒３２の内壁面から下端部に至るように形成されるのに限定はされず、外筒３２の内壁面から内壁面に至るように形成されてもよく、あるいは、外筒３２の内壁面から外壁面に至るように形成されてもよい。すなわち、本発明において排水路４２は、流入口４２ａが内筒３４の上昇時に閉塞され、内筒３４の下降時に開口して、かつこの流入口４２ａと給排水管３０とが連通される構成であれば、各種の構成が利用可能である。
【００２６】
なお、排水路４２の数には特に限定はなく、外筒３２に１つだけ形成されるものであってもよく、あるいは、９０°間隔や４５°間隔等の一定間隔あるいは不特定間隔で、複数形成されてもよく、内側を梁等で固定することで、全周に渡って形成してもよく、プール１０からの排水効率や給排水器１４の強度等を考慮して適宜決定すればよい。
【００２７】
外筒３２内壁の下端部分には、内方に突出して肉厚部４４が形成されている。この肉厚部４４には、肉厚部４４の内径とほぼ同一の外径を有する略円筒形状の下降ストッパ３６が挿入される。
下降ストッパ３６は、その外壁に外方向に突出するフランジ部を有し、このフランジ部が前記外筒３２の肉厚部４４に載置され、両者がボルト４８によって固定されることにより、下降ストッパ３６が外筒３２に固定される。
この下降ストッパ３６（あるいは外筒３２の肉厚部４４）を有することにより、図３に示されるように、内筒３４の下降の最下部が規定される。
【００２８】
このような外筒３２および下降ストッパ３６の形成材料には特に限定はなく、十分な耐水性を有するものであれば、テフロン、ポリプロピレン、ポリエチレン等の各種の樹脂や、ステンレス等の金属材料が各種利用可能である。
【００２９】
内筒３４は、外筒３２の内径（肉厚部４４以外の部分）とほぼ同じ外径を有し、一方の面が閉塞する略円筒状の部材で、閉塞面を上にして外筒３２内に挿入され、内筒３４と外筒３２との間を液密に保ちつつ、外筒３２内で上下動（往復摺動）可能にされる。また、内筒３４の上方角部には、給排水管３０から送られた浄化済のプール水を底壁１２からプール１０内に噴射（供給）するための供給孔４６が形成される。
従って、この内筒３４は、図２に示されるように給排水管３０からプール水が供給された際には、水圧によって上昇して前述の排水路４２の流入孔４２ａを閉塞すると共に、供給孔４６からプール１０内にプール水を噴射する。逆に、給排水管３０からのプール水の供給が停止すると、図３に示されるように、内筒３４はプール１０の水圧等によって下降して、流入孔４２ａがプール１０に開口し、排水路４２からプール水が抜かれて給排水管３０に流入し、前述のように、給排水ラインＬ3 を経て排水ラインｂから排水される。従って、本発明の給排水器１４によれば、得に排水専用のラインを設けなくても、プール水の給排水を給排水ラインＬ3 を共用して行うことができる。
なお、内筒３４の上下動は、前記下降ストッパ３６および後述する上昇ストッパ４０によって所定の範囲に規定され、外筒３２から飛び出したり、給排水管３０内に落下することがないように構成される。
【００３０】
図示例の給排水器１４において、供給孔４６は内筒３４の内壁から前記角部を斜めに貫通するように削孔される。また、供給孔４６は、図４にその上面が示されるように内筒３４の円周に６０°間隔で合計６個形成され、かつその方向（プール水の噴射方向）は、内筒３４の半径方向に対して所定の角度をもって形成される。従って、図示例の給排水器１４においては、プール水は斜め上方に向かって渦を巻くように噴射・供給される。
このような構成とすることにより、プール水の対流および比較的重質な汚染物質の浮上をより促進することができ、プールをより清浄に保つことができる。また、後に詳述するが、図示例の給排水器１４は、好ましい態様として、内筒３４の上昇が回転を伴う構成となっており、この構成によれば、内筒３４の回転上昇を補助して、より確実な作動を実現できる。
【００３１】
本発明の給排水器１４において、供給孔４６の構成は図示例に限定はされず、内筒３４の上面から斜め上方にプール水を噴射する構成であってもよく、また、真上に向かってプール水を噴射する構成でもよい。また、内筒３４に形成される供給孔４６の数および間隔も図示例の６個に限定はされず、１個でもよくあるいは６個以上であってもよい。
しかしながら、プール水供給時における内筒３４の上昇をより確実にするためには、内筒３４の上面は基本的に閉塞されているのが好ましい。言い換えれば、プール水の供給水圧とプール１０からの水圧との関係で、プール水供給時に内筒３４が確実に上昇し、保持できる程度に、内筒３４の上面が閉塞されていればよい。
【００３２】
内筒３４の形成材料には特に限定はなく、前述の外筒３２と同様の材料が利用可能である。
また、内筒３４の外周（あるいは外筒３２の内周）には、必要に応じてＯリング等のシール部材が配置され、両者の間隙の液密をより確実にしてもよい。
【００３３】
内筒３４の下方には、スリーブ３８が固定され、その下端部には上昇ストッパ４０が固定される。
スリーブ３８は、外径が前記下降ストッパ３６の内径とほぼ等しく、内径が内筒３４の内径と等しい略円筒形状を有するもので、内筒３４とその内壁を一致させて、嵌合、接着剤、ねじ止等の公知の方法で内筒３４の下部に固定される。
一方、上昇ストッパ４０は、外径がスリーブ３８よりも大きく、内径がスリーブ３８と同径のリング状部材で、スリーブ３８と貫通孔を一致させて、ボルト５０によってスリーブ３８の下端に固定される。
【００３４】
従って、給排水管３０からのプール水の供給によって内筒３４が上昇すると、上昇ストッパ４０が下降ストッパ３６および外筒３２に当接し、内筒３４の規定以上の上昇を防止する。
ここで、内筒３４の上昇の上限には特に限定はなく、供給孔４６からのプール水の噴射が好適にできる所をその上限とすればよいが、好ましくは、図２に示されるように、上昇した内筒３４の上面とプール１０の底壁１２とが同一面となるように構成し、プールの利用者等が給排水器１４に足を取られ、転倒すること等がないようにするのが好ましい。
また、前述の内筒３４の下降の下限にも特に限定はなく、流入孔４２ａが確実に開口する位置とすればよいが、上昇ストッパ４０およびスリーブ３８が立ち上がり部分３０ａの下端よりも下方に下がって、給排水管３０の本管にまで侵入すると、排水されるプール水の水圧によって内筒３４やスリープ３８が損傷する可能性もあるので、図３に示されるように、上昇ストッパ４０が立ち上がり部分３０ａ内に留まる点を下限とするのが好ましい。
【００３５】
図示例の給排水器１４においては、好ましい態様として、内筒３４と外筒３２の係合手段すなわちスリーブ３８の外周面には、図５（（ａ）はスリーブ３８の側面図、（ｂ）は同下面図）に概念的に示されるような螺旋状のスプライン歯５２が形成され、下降ストッパ３６の内周面には、このスプライン歯５２と遊嵌する溝が形成される。従って、内筒３４の昇降は、螺旋状のスプライン歯５２等による回転を伴う結果となる。
このような構成とすることにより、上昇中の内筒３４が下方に押し込まれるような外力を受けても、給排水管３０からのプール水の供給水圧に加えて、スプライン歯５２およびこれに遊嵌する溝によって、内筒３４が不要に下降することを好適に防止できる。
なお、本発明の給排水器１４における内筒３４と外筒３２の係合手段は、螺旋上のスプラインを有するものに限定されないのはもちろんであり、直線状であってもよく、セレーションであってもよく、全く係合手段を有さないものであってもよく、内筒３４は単に上下動するのみでもよい。
【００３６】
図示例の給排水器１４においては、外筒３２と下降ストッパ３６、内筒３４とスリーブ３８と上昇ストッパ４０とが、それぞれ別体で構成されて係合・固定されていたが、本発明はこれに限定はされず、それぞれの部材を一体的に構成してもよい。
また、特に下降ストッパ３６を有さず、肉厚部４４に下降ストッパの作用を持たせてもよく、また、上昇ストッパ４０を内筒３４に固定せずに外筒３２にこの作用を有する部材、例えば上端に内筒の上昇を規定する凸部等を固定あるいは形成してもよい。
【００３７】
図６および図７に、本発明の第２の態様の給排水器６０の概略断面図が示される。
なお、本発明の第２の態様の給排水器６０は、前述の本発明の第１の態様の給排水器１４と多数の共通点を有するので、以下の説明は異なる部分を主に行い、共通点に関する説明は省略する。
【００３８】
図示例の給排水器６０は、基本的に、外筒６２と、この外筒６２の上面を閉塞する蓋体６４と、外筒６２内に上下動（往復動）可能に挿入される内筒（すなわちフロート）６６と、内筒６６の降下を規定する下降ストッパ６８と、蓋体６４を外筒に固定するための固定リング７０および６本の長尺ボルト７２とから構成される。
【００３９】
給排水器６０において、外筒６２は外筒本体７１と、固定部材７４とから構成される。
外筒本体７１は、排水路４２を有さない以外は前述の本発明の第１の態様の外筒３２と同様であり、略円筒形状でプール１０の底壁１２を貫通して形成される孔に螺合されて固定される。
一方、固定部材７４は、前述の第１の態様の下降ストッパ３６とほぼ同様の構成を有するものであり、外筒本体７１の下端部分に形成される肉厚部７６に挿入され、ボルト７８によって固定される。また、固定部材７４の下端部内周には、全周にわたって溝７４ａが形成され、この溝７４ａには固定リング７０が固定される。この固定リング７０に関しては、後に詳述する。
【００４０】
外筒６２（外筒本体７１）の上面は、蓋体６４によって閉塞される。図８に蓋体６４の概略上面図を示す。なお、図６および図７の蓋体６４は、図８のａ−ａ線断面を示すものである。
蓋体６４は、外筒本体７１の内径（肉厚部７６以外の部分）とほぼ同じ外径を有し、一方の面が閉塞する略円筒状の部材で、閉塞面を上方にして外筒本体７１内に挿入される。
【００４１】
蓋体６４には、プール水を抜くための排水孔８２およびプール水を供給するための供給孔８４が形成される。
図示例において、排水孔８２は、蓋体６４の上面を貫通して円周方向に６０°の間隔で合計６個形成される。他方、供給孔８４は、蓋体６４の内部から上角部を斜め上方に貫通するように、同様に６０°の間隔で合計６個形成される。また、図示例においては、排水孔８２と供給孔８４は、互いに１５°ずれた位置に形成されている。
さらに、蓋体６４には、その上面を貫通して、長尺ボルト７２が挿入および係合するボルト係合孔８６が円周方向に６０°の間隔で合計６個形成される。
【００４２】
蓋体６４には、下方から下降ストッパ６８が挿入され、蓋体６４を外壁面から貫通するビス８０によって固定される。
下降ストッパ６８は、後述する内筒６６の下降を規定すると共に、固定リング７０を補強する略円筒状の部材であって、前述の固定部材７４の内径と同じ外径を有する筒部６８ａの上部に、外方に突出して蓋体６４の内径と同じ外径を有するフランジ部６８ｂを有してなる構成を有する。
また、この下降ストッパ６８にも、蓋体６４に形成されるボルト係合孔８６に対応して、長尺ボルト７２が貫通するボルト貫通孔６８ｃが形成される。
【００４３】
図示例においては、蓋体６４の下端と下降ストッパ６８のフランジ部６８ｂの下端とを均一として、ビス８０でフランジ部６８ｂを固定することにより、蓋体６４に下降ストッパ６８が固定されており、蓋体６４とフランジ部６８ｂとが固定部材７４上に載置されるようにして、外筒６２内に挿入、配置される。
また、固定部材７４上に下降ストッパ６８が載置された状態では、固定部材７４と下降ストッパ６８の下端部は均一となるように構成される。
【００４４】
前述のように、固定部材７４の下端部内周には、全周にわたって溝７４ａが形成され、この溝７４ａには固定リング７０が固定される。
固定リング７０は、下降ストッパ６８と同じ内径を有し、かつ固定部材７４の内径よりも大きな外形を有するリング状の部材で、前記溝７４ａに螺合や嵌合、あるいは接着されることにより、固定部材７４に一体的に固定される。なお、固定部材７４と固定リング７０とを一体成形してもよい。
【００４５】
この固定リング７０には、蓋体６４に形成されるボルト係合孔８６に対応して、長尺ボルト７２が螺合するねじ孔７０ａが形成される。
従って、図示例の給排水器６０においては、長尺ボルト７２のヘッドを蓋体６４のボルト係合孔８６に係合して貫通させ、さらに下降ストッパ６８のボルト貫通孔６８ｃ（および内筒６６のボルト貫通孔９２）を貫通して、長尺ボルト７２をねじ孔７０ａに螺合、固定することにより、蓋体６４および下降ストッパ６８が、外筒６２内の所定位置に固定される。
【００４６】
蓋体６４内すなわち外筒６２内の下降ストッパ６８上部には、内筒６６が配置される。図９に内筒６６の概略上面図を示す。なお、図６および図７の内筒６６は、図９のｂ−ｂ線断面を示すものである。
内筒６６は、上面が基本的に閉塞し、外径が蓋体６４の内径よりも極少し小さい円筒状の部材であり、上面には蓋体６４に形成されるボルト係合孔８６に対応して、長尺ボルト７２が貫通するボルト貫通孔９２が形成される。従って、内筒６６は、長尺ボルト７２に案内されて蓋体６４内で上下動自在にされると共に、不要な回転が長尺ボルト７２によって防止される。
【００４７】
この内筒６６には、上面を貫通してプール水を排水するための排水用連通孔８８が６０°の間隔で合計６個形成され、さらに、内筒６６の内部から上角部を斜め上方に貫通するように、プール水を供給するための供給用連通孔９０が６０°の間隔で合計６個形成される。また、蓋体６４に形成されるボルト係合孔８６に対応して、長尺ボルト７２が貫通するボルト貫通孔９２が形成される。
ここで、図６〜図９に示されるように、排水用連通孔８８は蓋体６４に形成される排水孔８２を全く臨まない位置に形成され、供給用連通孔９０は蓋体６４に形成される供給孔８４に対応して、蓋体６４が上昇した際に両者が連結するように形成される。
【００４８】
従って、内筒６６は、図６に示されるように給排水管３０からプール水が供給された際には、水圧によって上昇してその上面で排水孔８２を閉塞し、また、排水用連通孔８８が蓋体６４によって閉塞される共に、供給用連通孔９０と供給孔８４とを連結して、供給孔８４からプール１０内にプール水を噴射する。
逆に、給排水管３０からのプール水の供給が停止すると、図７に示されるように、内筒６６はプール１０の水圧等によって下降して、排水孔８２および排水用連通孔８８が開口し、排水孔８２および排水用連通孔８８からプール水が抜かれて給排水管３０に流入し、前述のように、給排水ラインＬ3 を経て排水ラインｂから排水される。
【００４９】
排水用連通孔８８の形成位置は図示例の位置に限定はされず、内筒６６が上昇した際に、内筒６６の上面で排水孔８２を確実に閉塞でき、かつ蓋体６４に確実に閉塞される位置であれば、任意の位置に形成してよい。
また、供給用連通孔９０は、蓋体６４の供給孔８４に対応して、内筒６６が上昇した際に、両者が好適に連結できるように形成すればよい。なお、図示例においては、内筒６６の上角部を切り欠くことにより、内筒６６が若干回転しても、確実に供給用連通孔９０と供給孔８４とが連結するように構成される。
【００５０】
図示例の給排水器６０は、蓋体６４が上面が閉塞する筒状であったが、本発明の第２の態様はこれに限定はされず、筒状ではなく、外筒６２の上面を閉塞する円盤状であってもよい。なお、この際には、下降ストッパ６８は、外筒本体７１や固定部材７４に保持されればよい。また、外筒６２が底壁１２から取り外し可能であれば、蓋体６４と外筒６２とを一体的に構成してもよい。
また、特に下降ストッパ６８を有さず、外筒本体７１の肉厚部７６や固定部材７４を内筒６６の下降を規定する部材として作用させてもよい。
さらに、内筒６６も図示例の冠状に限定はされず、円滑な上下動に十分な厚さを有し、かつ水圧で容易に上昇可能なものであれば、円盤状であってもよい。
【００５１】
上述の本発明の給排水器は、いずれも略円筒形状を有するものであるが、本発明はこれに限定はされず、四角や六角等の角筒状であってもよく、さらに楕円筒、星型筒等の各種の形状が利用可能である。
さらに、プールの底（貫通孔）に直接外筒を形成し、ここに内筒等を挿入する構成としてもよい。
【００５２】
以上、本発明の給排水器について説明したが、本発明は以上の例に限定はされず、本発明の要旨を逸脱しない範囲において、各種の改良および変更を行ってもよいのはもちろんである。
【００５３】
【発明の効果】
以上、詳細に説明したように、本発明の給排水器によれば、オーバーフロー方式のプール等のように、浄化した用水を底から噴射（供給）する貯水槽であっても、用水の供給口と排水口、ならびに供給経路と排水経路を共有することができ、これにより、設備費用や工事費用の低減、給排水管の設計自由度の向上、貯水槽の設置位置の自由度向上、工事期間の短期化等を実現することができる。
【図面の簡単な説明】
【図１】本発明の給排水器を利用するプールの平面ならびにプール水循環経路を示す概略図である。
【図２】本発明の給排水器の第１の態様の一例の給水時の概略断面図である。
【図３】図２に示される給排水器の排水時の概略断面図である。
【図４】図２および図３に示される給排水器の内筒の概略上面図である。
【図５】（ａ）は図２および図３に示される給排水器の係合部材の概略側面図、（ｂ）は同概略下面図である。
【図６】本発明の給排水器の第２の態様の一例の給水時の概略断面図である。
【図７】図６に示される給排水器の排水時の概略断面図である。
【図８】図６に示される給排水器の蓋体の概略上面図である。
【図９】図６に示される給排水器の内筒の概略上面図である。
【符号の説明】
１０  プール
１２  底
１４，６０  給排水器
１６  バランシングタンク
１８  排水ピット
２０  排水溝（側溝）
２２  たん吐き排水口２２
２６  オーバーフロータンク
２８  浄化装置
３０  給排水管
３２，６２  外筒
３４，６６  内筒
３６，６８  下降ストッパ
３８  係合部材
４０  上昇ストッパ
４２  排水路
４４，７６  肉厚部
４６，８４  供給孔
４８，５０，７８  ボルト
５２  スプライン
６４  蓋体
７０  固定リング
７１  外筒本体
７２  長尺ボルト
７４  固定部材
８０  ビス
８２  排水孔
８６，９２  ボルト孔
８８  排水用連通孔
９０  供給用連通孔
Ｌ1   バランスライン
Ｌ2   オーバーフローライン
Ｌ3   給排水ライン
【図１】
0003694340.tif 000002
【図２】
0003694340.tif 000003
【図３】
0003694340.tif 000004
【図４】
0003694340.tif 000005
【図５】
0003694340.tif 000006
【図６】
0003694340.tif 000007
【図７】
0003694340.tif 000008
【図８】
0003694340.tif 000009
【図９】
0003694340.tif 000010